(57)【要約】    【課題】  アンテナ装置の設置に係る汎用性を向上させること。    【解決手段】  磁心１１と、磁心１１に巻回される被覆電線１２とを備えるラゲージアンテナ１０において、被覆電線１２がその巻き始め側１２ａ及び巻き終わり側１２ｂに所定の長さの導出部１２ｃを残して磁心１１の長手方向の一方側１１ｃから他方側１１ｄに巻回されると共に、磁心１１の長手方向の略中央部１１ｋにて導出部１２ｃが束ねられ、束ねられた導出部１２ｃの端末１２ｄにコネクタ１２ｅが設けられる構成としたこと。【選択図】  図２
2006157375.tif 000002
【特許請求の範囲】
【請求項１】
磁心と、該磁心に巻回される被覆電線とを備えるアンテナ装置において、
前記被覆電線がその巻き始め側及び巻き終わり側に所定の長さの導出部を残して前記磁心の長手方向の一方側から他方側に巻回されると共に、前記磁心の長手方向の略中央部にて前記導出部が束ねられ、束ねられた該導出部の端末にコネクタが設けられる
ことを特徴とするアンテナ装置。
【請求項２】
前記被覆電線が巻回された前記磁心を収容すると共に、前記被覆電線の導出部が挿通される通路と、該通路に設けられる凹部とを備えるケースと、
前記凹部と係合する凸部が設けられ、前記ケースに嵌合されるカバーと
を備え、
前記カバーが前記ケースに嵌合される時に、前記通路に挿通された前記被覆電線の導出部が、前記凹部と前記凸部との間に挟み込まれることを特徴とする請求項１に記載のアンテナ装置。
【請求項３】
前記被覆電線が巻回された前記磁心を収容すると共に、前記被覆電線の導出部が挿通される通路と、該通路に設けられる凸部とを備えるケースと、
前記凸部と係合する凹部が設けられ、前記ケースに嵌合されるカバーと
を備え、
前記カバーが前記ケースに嵌合される時に、前記通路に挿通された前記被覆電線の導出部が、前記凹部と前記凸部との間に挟み込まれることを特徴とする請求項１に記載のアンテナ装置。
【請求項４】
前記磁心は、磁性体と、該磁性体を保持する保持体とを備え、
該保持体には、前記被覆電線の巻き始め側及び巻き終わり側を前記保持体に対して係止する係止部が予め一体に設けられることを特徴とする請求項２若しくは請求項３に記載のアンテナ装置。
【請求項５】
前記保持体には、前記被覆電線の導出部を束ねる結束部が予め一体に設けられることを特徴とする請求項４に記載のアンテナ装置。
【請求項６】
前記係止部は爪状を呈し、前記被覆電線の巻き始め側及び巻き終わり側は、前記係止部に引っ掛けられることで、前記保持体に対して係止されることを特徴とする請求項５に記載のアンテナ装置。
【請求項７】
前記結束部は爪状を呈し、前記被覆電線の導出部は、前記結束部に引っ掛けられることで束ねられることを特徴とする請求項６に記載のアンテナ装置。
【発明の詳細な説明】
【技術分野】
【０００１】
本発明は、アンテナ装置に関するものである。
【背景技術】
【０００２】
公知のアンテナ装置として、後述の特許文献１に記載のものがある。このアンテナ装置について、図１１を参照して説明する。
【０００３】
アンテナ装置１は、車両のドアミラーに設けられている。アンテナ装置１は、ドアミラーのベース部材２の背面側（図１１中矢示参照）に取り付けられている。さらに、ベース部材２の背面側には、アンテナ装置１を挟みこむように、ハウジング３が取り付けられている。ベース部材の手前側（図１１中矢示参照）には、ミラー（図示なし）が設けられる。
【０００４】
アンテナ装置１は、２つのループアンテナ４，５を備えている。ループアンテナ４は、磁心４ａに導線が巻回されて成り、ループアンテナ５におけるループ面の中心に配置されている。ループアンテナ４の磁心４ａには、制御装置（図示なし）に接続される２本の信号線４ｂが、導線とともに巻回されている。
【特許文献１】特公平６−３８５６２号公報（第１図参照）
【発明の開示】
【発明が解決しようとする課題】
【０００５】
ところで、上述のアンテナ装置１においては、２本の信号線４ｂの両方が、ループアンテナ４の磁心４ａにおける室内側（図１１中矢示参照）から外部に導出されている。つまり、磁心４ａに対する信号線４ｂの巻き始め側と巻き終わり側の両方が、磁心４ａの室内側から外部に導出されている。
【０００６】
この構造においては、仮に、信号線４ａに接続される制御装置（接続対象物）に対してアンテナ装置１が室内側に設置される場合には、アンテナ装置１が室外側（図１１中矢示参照）に配置される場合に比べて、アンテナ装置１と制御装置とを接続する信号線４ｂの配策構造が大きく異なったものとなる。例えば、磁心４ａの室内側から導出された信号線４ｂを磁心４ａ（アンテナ装置１）の室外側へと配策することになるので、信号線４ｂの長さが余分に必要となる。また、信号線４ｂを屈曲させる箇所が増えることにより、信号線４ｂの配策構造が複雑化する可能性がある。
【０００７】
このように、アンテナ装置１を設置する場合、自身に信号線を介して接続される接続対象物との位置関係によっては不都合が生じることとなり、その設置に係る汎用性の観点から考えると、改善の余地があった。
【０００８】
よって、本発明は上記の問題点に鑑みてなされたものであり、アンテナ装置の設置に係る汎用性を向上させることを課題とする。
【課題を解決するための手段】
【０００９】
上記課題を解決するために、本発明にて講じた技術的手段は、請求項１に記載の様に、磁心と、該磁心に巻回される被覆電線とを備えるアンテナ装置において、前記被覆電線がその巻き始め側及び巻き終わり側に所定の長さの導出部を残して前記磁心の長手方向の一方側から他方側に巻回されると共に、前記磁心の長手方向の略中央部にて前記導出部が束ねられ、束ねられた該導出部の端末にコネクタが設けられる構成としたことである。
【００１０】
好ましくは、請求項２に記載の様に、前記被覆電線が巻回された前記磁心を収容すると共に、前記被覆電線の導出部が挿通される通路と、該通路に設けられる凹部とを備えるケースと、前記凹部と係合する凸部が設けられ、前記ケースに嵌合されるカバーとをアンテナ装置が備え、前記カバーが前記ケースに嵌合される時に、前記通路に挿通された前記被覆電線の導出部が、前記凹部と前記凸部との間に挟み込まれると良い。
【００１１】
好ましくは、請求項３に記載の様に、前記被覆電線が巻回された前記磁心を収容すると共に、前記被覆電線の導出部が挿通される通路と、該通路に設けられる凸部とを備えるケースと、前記凸部と係合する凹部が設けられ、前記ケースに嵌合されるカバーとをアンテナ装置が備え、前記カバーが前記ケースに嵌合される時に、前記通路に挿通された前記被覆電線の導出部が、前記凹部と前記凸部との間に挟み込まれると良い。
【００１２】
好ましくは、請求項４に記載の様に、前記磁心は、磁性体と、該磁性体を保持する保持体とを備え、該保持体には、前記被覆電線の巻き始め側及び巻き終わり側を前記保持体に対して係止する係止部が予め一体に設けられると良い。
【００１３】
好ましくは、請求項５に記載の様に、前記保持体には、前記被覆電線の導出部を束ねる結束部が予め一体に設けられると良い。
【００１４】
好ましくは、請求項６に記載の様に、前記係止部は爪状を呈し、前記被覆電線の巻き始め側及び巻き終わり側は、前記係止部に引っ掛けられることで、前記保持体に対して係止されると良い。
【００１５】
好ましくは、請求項７に記載の様に、前記結束部は爪状を呈し、前記被覆電線の導出部は、前記結束部に引っ掛けられることで束ねられると良い。
【発明の効果】
【００１６】
請求項１に記載の発明によれば、被覆電線は、その巻き始め側及び巻き終わり側に所定の長さの導出部を残して磁心に巻回され、導出部は、磁心の長手方向の略中央部にて束ねられる。束ねられた導出部の端末には、コネクタが設けられる。
【００１７】
この構造によれば、コネクタに接続される対象物が、アンテナ装置における磁心の一方側に近い位置及び他方側に近い位置のいずれに設置される場合であっても、導出部の端末に設けられたコネクタを対象物に好適に接続できる。
【００１８】
その結果、コネクタに接続される対象物の位置にかかわらずアンテナ装置を設置でき、アンテナ装置の設置に係る汎用性を向上できる。
【００１９】
請求項２及び請求項３に記載の発明によれば、カバーがケースに嵌合される時に、被覆電線の導出部は、ケースの通路内にて凹部と凸部との間に挟みこまれることで、凹部及び凸部の形状に沿って折り曲げられる。この場合、被覆電線の導出部のうち、ケースの通路内に配策される部分は、カバーが嵌合される前に比べて見かけ上長くなる。これにより、被覆電線の導出部のうち、ケースの外部に露出する部分が短くなり、被覆電線の導出部の配策構造が簡略化される。
【００２０】
請求項４に記載の発明によれば、磁心の保持体に予め一体に設けられた係止部により、被覆電線の巻き始め側及び巻き終わり側が、保持体に対して係止される。この場合、被覆電線の巻き始め側及び巻き終わり側を保持体に対して固定するための部品が必要なく、アンテナ装置における部品点数が低減される。
【００２１】
請求項５に記載の発明によれば、磁心の保持体に予め一体に設けられた結束部により、被覆電線の導出部が束ねられる。この場合、被覆電線の導出部を束ねるための部品が必要なく、アンテナ装置における部品点数が低減される。
【００２２】
請求項６に記載の発明によれば、被覆電線の巻き始め側及び巻き終わり側は、爪状の係止部に引っ掛けられることで、磁心の保持体に対して係止される。この場合、被覆電線の巻き始め側及び巻き終わり側を保持体に対して簡単に係止でき、アンテナ装置の組み立て性が向上する。
【００２３】
請求項７に記載の発明によれば、被覆電線の導出部は、爪状の結束部に引っ掛けられることで束ねられる。この場合、被覆電線の導出部を簡単に束ねることができ、アンテナ装置の組み立て性が向上する。
【発明を実施するための最良の形態】
【００２４】
以下、本発明を実施するための最良の形態を、図面を基に説明する。
【００２５】
図１は、本発明に係るラゲージアンテナ１０（アンテナ装置）の外観構造を示す図である。図２は、図１におけるＩＩ−ＩＩ線に沿う断面図である。
【００２６】
ラゲージアンテナ１０は、スマートエントリーシステムを構築する一部品で、車両のバンパーカバー内のボディパネル９に取り付けられている。ラゲージアンテナ１０は、車両に設けられるトランクリッド（図示なし）を、メカニカルキー操作や既存のリモコンキーのボタン操作を行うことなく施解錠するためのものである。
【００２７】
トランクリッドが施錠されている状態で、携帯機を持ったユーザが、トランクリッド近傍に設けられたスイッチ（図示なし）を押すと、ラゲッジアンテナ１０を介して、車両から携帯機に電波が発信される。これを受けて、携帯機と車両との間でＩＤコードが照合され、これらＩＤコードが一致した場合には、トランクリッドが解錠される構造となっている。
【００２８】
ラゲージアンテナ１０は、磁心１１と、被覆電線１２と、ケース１３と、カバー１４とを備えている。
【００２９】
磁心１１には、被覆電線１２が巻回されている。被覆電線１２の巻き始め側１２ａ及び巻き終わり側１２ｂは、磁心１１から導出されている。磁心１１から導出された被覆電線１２の巻き始め側１２ａ及び巻き終わり側１２ｂは、導出部１２ｃを成している。ケース１３は、被覆電線１２が巻回された磁心１１を収容している。ケース１３には、カバー１４が嵌合されている。被覆電線１２の導出部１２ｃは、ケース１３の内部を経由して、ケース１３の外部に導出されている。被覆電線１２の導出部１２ｃの端末１２ｄには、コネクタ１２ｅが取り付けられている。コネクタ１２ｅは、トランクリッドの施解錠を司る制御装置（図示なし、対象物）に接続される。以下、これら磁心１１、被覆電線１２、ケース１３、及びカバー１４の詳しい構造について、図３乃至図９を参照して説明する。
【００３０】
図３は、磁心１１の構造を示す上面図、図４は、被覆電線１２が巻回された磁心１１の構造を示す上面図、図５は、被覆電線１２が巻回された磁心１１の構造を示す正面図（図４におけるＶ方向矢視図）である。
【００３１】
磁心１１は、リボン１１ａ（磁性体）と、ボビン１１ｂ（保持体）とを備えている。リボン１１ａは、ボビン１１ｂに巻回されている。
【００３２】
リボン１１ａは、薄帯状のアモルファス合金から成る。リボン１１ａの材質は、薄帯状のアモルファス合金に限定されず、薄帯状の磁性材料であれば良い。ボビン１１ｂ（保持体）は、ガラス繊維強化の樹脂材料（例えば、ＰＰＳ、液晶ポリマー樹脂）からなり、リボン１１ａを保持している。ボビン１１ｂの材質は、絶縁体であれば良いが、ある程度の強度及び柔軟性を有する樹脂材料を用いることが好ましい。
【００３３】
ボビン１１ｂは、大まかには、細長の薄板形状を呈している。ボビン１１ｂにおいて、その長手方向（図３示左右方向）の一方側１１ｃ及び他方側１１ｄには、係止部１１ｅ，１１ｆがそれぞれ一体に設けられている。係止部１１ｅ，１１ｆは、ボビン１１ｂの厚み方向（図３於紙面直交方向）に延在する爪状を呈している。ボビン１１ｂにて、その長手方向の略中央部１１ｋには、結束部１１ｇ，１１ｈが一体に設けられている。結束部１１ｇ，１１ｈは、係止部１１ｅ，１１ｆと同様に、ボビン１１ｂの厚み方向（図３於紙面直交方向）に延在する爪状を呈している。
【００３４】
被覆電線１２は、銅線をより合わせた心線と、この心線を同軸に被覆する絶縁体の被覆材とで形成された汎用のものである。
【００３５】
図４及び図５に示す様に、被覆電線１２は、ボビン１１ｂに対し、一方側１１ｃから巻き始められると共に他方側１１ｄにて巻き終わる。被覆電線１２の巻き始め側１２ａ及び巻き終わり側１２ｂは、ボビン１１ｂに予め一体に設けられた係止部１１ｅ，１１ｆにより、ボビン１１ｂに対してそれぞれ係止される。この場合、被覆電線１２の巻き始め側１２ａ及び巻き終わり側１２ｂは、爪状の係止部１１ｅ，１１ｆに引っ掛けられることで、ボビン１１ｂに対して係止される。
【００３６】
ボビン１１ｂに対して係止された被覆電線１２の巻き始め側１２ａ及び巻き終わり側１２ｂの残り、すなわち被覆電線１２の導出部１２ｃは、ボビン１１ｂに予め一体に設けられた結束部１１ｇ，１１ｈにより、ボビン１１ｂの長手方向の略中央部１１ｋにて束ねられる。この場合、被覆電線１２の導出部１２ｃは、爪状の結束部１１ｇ，１１ｈに引っ掛けられることで束ねられる。束ねられた被覆電線１２の導出部１２ｃの端末１２ｄには、コネクタ１２ｅが設けられている。コネクタ１２ｅは、上述した制御装置に接続される。
【００３７】
本実施形態において、被覆電線１２の導出部１２ｃを束ねる結束部１１ｇ，１１ｈは、ボビン１１ｂの長手方向の略中央部１１ｋに設けられている。したがって、被覆電線１２にコネクタ１２ｅを介して接続される制御装置が、ラゲージアンテナ１０における磁心１１の一方側１１ｃに近い位置及び他方側１１ｄに近い位置のいずれに設置される場合であっても、磁心１１と制御装置との間において、被覆電線１２の導出部１２ｃの配策には、不都合が生じない。その結果、磁心１１から導出された被覆電線１２の導出部１２ｃを、コネクタ１２ｅを介して、制御装置に好適に接続できる。
【００３８】
図６は、ケース１３の構造を示す上面図、図７は、ケース１３の構造を示す正面図（図６におけるＶＩＩ方向矢視図）である。なお、図７においては、部分的に断面が描かれている。
【００３９】
ケース１３は、樹脂材料からなり、大まかには、細長の箱状を呈している。ケース１３は、保持部１３ａと、通路１３ｂとを備えている。
【００４０】
保持部１３ａは、ケース１３の長手方向（図６及び図７示左右方向）に延在し、ケース１３の厚み方向（図７示上下方向）に関して凹状を成している。保持部１３ａは、被覆電線１２が巻回された磁心１１（図４及び図５参照）を保持する。保持部１３ａの幅方向（図６示上下方向）の寸法は、被覆電線１２が巻回された磁心１１の厚み方向（図５示上下方向）の寸法に対応して設定されている。被覆電線１２が巻回された磁心１１は、そのボビン１１ｂがケース１３の保持部１３ａに圧入されることで、ケース１３に対して保持される構造となっている。
【００４１】
通路１３ｂは、大まかにはケース１３の長手方向に延在し、ケース１３の厚み方向に関して凹状を成している。通路１３ｂには、磁心１１から導出された被覆電線１２の導出部１２ｃが挿通される。通路１３ｂには、凹部１３ｃが設けられている。凹部１３ｃは、通路１３ｂにおいて、ケース１３の長手方向の各側に２箇所ずつ、計４箇所に設けられている（図７においては２箇所にのみ符番を付す）。凹部１３ｃは、ケース１３の厚み方向に関して凹状を成している。凹部１３ｃは、通路１３ｂの延在する方向に沿って設けられている。
【００４２】
また、ケース１３は、支持部１３ｄと、爪部１３ｅとをさらに備えている。支持部１３ｄは、ケース１３の長手方向の各側にて、通路１３ｂに連続して設けられている。支持部１３ｄは、被覆電線１２の導出部１２ｃ端末１２ｄに設けられたコネクタ１２ｅを支持する。爪部１３ｅは、ケース１３の長手方向の各側にて、保持部１３ａの近傍に設けられている。この爪部１３ｅの作用については、後述する。
【００４３】
図８は、カバー１４の構造を示す上面図、図９は、図８におけるＩＸ−ＩＸ線に沿う断面図である。
【００４４】
カバー１４は、樹脂材料からなり、大まかには、細長の板状を呈している。カバー１４は、ベース１４ａと、凸部１４ｂと、嵌合部１４ｃとを備えている。
【００４５】
ベース１４ａは、板状を呈し、カバー１４の構造における基部として機能する。
【００４６】
凸部１４ｂは、ベース１４ａにおいて、カバー１４の長手方向（図８及び図９示左右方向）の各側に２箇所ずつ、計４箇所に設けられている。凸部１４ｂは、カバー１４の厚み方向（図９示上下方向）に関して凸状を成している。
【００４７】
嵌合部１４ｃは、ベース１４ａにおいて、長手方向の両側に設けられている。嵌合部１４ｃは、カバー１４の厚み方向に関してベース１４ａから延在している。
【００４８】
カバー１４は、磁心１１を保持したケース１３に対し、この磁心１１を覆うように嵌合される。カバー１４がケース１３に嵌合された時には、カバー１４の凸部１４ｂが、ケース１３の凹部１３ｃに対向し、且つ係合するようになっている。なお、本実施形態においては、カバー１４に凸部１４ｂ、ケース１３に凹部１３ｃが設けられているが、これに限定されない。例えば、カバー１４に凹部、ケース１３に凸部が設けられ、これら凹部と凸部とが、カバー１４のケース１３への嵌合時に、互いに対向し、且つ係合する構造であっても良い。
【００４９】
以下、ラゲージアンテナ１０の組み立て作業について、図１０（ａ）〜（ｃ）を参照して説明する。図１０（ａ）〜（ｃ）は、カバー１４がケース１３に嵌合される時の態様を模式的に示す図である。
【００５０】
まず、図１０（ａ）に示す様に、被覆電線１２が巻回された磁心１１をケース１３の保持部１３ａに圧入すると共に、磁心１１から導出された被覆電線１２の導出部１２ｃをケース１３の通路１３ｂに挿通する。
【００５１】
このとき、磁心１１から導出された被覆電線１２の導出部１２ｃは、図１０（ｂ）に示す様に、ケース１３の通路１３ｂに設けられた凹部１３ｃ上に配置され、まっすぐに伸びた状態となっている。
【００５２】
この状態で、ケース１３に対し、カバー１４を同図中の矢示Ａ方向に移動させると、図１０（ｃ）に示す様に、カバー１４がケース１３に嵌合され、ケース１３の通路１３ｂ内にて、カバー１４の凸部１４ｂとケース１３の凹部１３ｃとが互いに係合する。これにともなって、カバー１４の凸部１４ｂとケース１３の凹部１３ｃとの間に被覆電線１２の導出部１２ｃが挟み込まれ、これら部位の形状に沿って被覆電線１２の導出部１２ｃが折り曲げられる。なお、被覆電線１２の導出部１２ｃの端末１２ｄに取り付けられたコネクタ１２ｅは、カバー１４がケース１３に嵌合される時に、ケース１３の支持部１３ｄに取り付けられる。
【００５３】
被覆電線１２の導出部１２ｃのうち、ケース１３の通路１３ｂ内に配策される部分は、ケース１３の凹部１３ｃとカバー１４の凸部１４ｂとによって折り曲げられたことで、カバー１４がケース１３に嵌合される前に比べて、見かけ上長くなる。これにより、カバー１４がケース１３に嵌合された状態のラゲージアンテナ１０において、被覆電線１２の導出部１２ｃのうち、ケース１３の外部に露出する部分を短くできる。
【００５４】
したがって、被覆電線１２の導出部１２ｃの長さを好適に設定しておくことで、ラゲージアンテナ１０においては、被覆電線１２の導出部１２ｃのうち、ケース１３の外部に露出する部分の長さを最小限のものとできる。その結果、ラゲージアンテナ１０の周囲にある部材との干渉から被覆電線１２の導出部１２ｃを保護するための部材（例えば、保護チューブ）が必要なく、ラゲージアンテナ１０における部品点数が低減される。
【００５５】
以上説明した様に、本発明のラゲージアンテナ１０によれば、被覆電線１２は、その巻き始め側１２ａ及び巻き終わり側１２ｂに所定の長さの導出部１２ｃを残して磁心１１に巻回され、導出部１２ｃは、磁心１１の長手方向の略中央部１２ｋにて束ねられる。束ねられた導出部１２ｃの端末１２ｄには、コネクタ１２ｅが設けられる。
【００５６】
この構造によれば、コネクタ１２ｅに接続される制御装置が、ラゲージアンテナ１０における磁心１１の一方側１１ｃに近い位置及び他方側１１ｄに近い位置のいずれに設置される場合であっても、導出部１２ｃの端末１２ｄに設けられたコネクタ１２ｅを制御装置に好適に接続できる。
【００５７】
その結果、コネクタ１２ｅに接続される制御装置の位置にかかわらずラゲージアンテナ１０を設置でき、ラゲージアンテナ１０の設置に係る汎用性を向上できる。
【００５８】
また、本発明によれば、カバー１４がケース１３に嵌合される時に、被覆電線１２の導出部１２ｃは、ケース１３の通路１３ｂ内にて凹部１３ｃと凸部１４ｂとの間に挟みこまれることで、これら部位（凹部１３ｃ及び凸部１４ｂ）の形状に沿って折り曲げられる。この場合、被覆電線１２の導出部１２ｃのうち、ケース１３の通路１３ｂ内に配策される部分は、カバー１４が嵌合される前に比べて見かけ上長くなる。これにより、被覆電線１２の導出部１２ｃのうち、ケース１３の外部に露出する部分が短くなり、被覆電線１２の導出部１２ｃの配策構造が簡略化される。
【００５９】
また、本発明によれば、磁心１１において、ボビン１１ｂに予め一体に設けられた係止部１１ｅ，１１ｆにより、被覆電線１２の巻き始め側１２ａ及び巻き終わり側１２ｂが、ボビン１１ｂに対して係止される。この場合、被覆電線１２の巻き始め側１２ａ及び巻き終わり側１２ｂをボビン１１ｂに対して固定するための部品が必要なく、ラゲージアンテナ１０における部品点数が低減される。
【００６０】
また、本発明によれば、磁心１１において、ボビン１１ｂに予め一体に設けられた結束部１１ｇ，１１ｈにより、被覆電線１２の導出部１２ｃが束ねられる。この場合、被覆電線１２の導出部１２ｃを束ねるための部品が必要なく、ラゲージアンテナ１０における部品点数が低減される。
【００６１】
また、本発明によれば、被覆電線１２の巻き始め側１２ａ及び巻き終わり側１２ｂは、爪状の係止部１１ｅ，１１ｆに引っ掛けられることで、磁心１１のボビン１１ｂに対して係止される。この場合、被覆電線１２の巻き始め側１２ａ及び巻き終わり側１２ｂをボビン１１ｂに対して簡単に係止でき、ラゲージアンテナ１０の組み立て性が向上する。
【００６２】
また、本発明によれば、被覆電線１２の導出部１２ｃは、爪状の結束部１１ｇ，１１ｈに引っ掛けられることで束ねられる。この場合、被覆電線１２の導出部１２ｃを簡単に束ねることができ、ラゲージアンテナ１０の組み立て性が向上する。
【図面の簡単な説明】
【００６３】
【図１】図１は、本発明に係るラゲージアンテナ１０の外観構造を示す図。
【図２】図１におけるＩＩ−ＩＩ線に沿う断面図。
【図３】磁心１１の構造を示す上面図。
【図４】被覆電線１２が巻回された磁心１１の構造を示す上面図。
【図５】被覆電線１２が巻回された磁心１１の構造を示す正面図（図４におけるＶ方向矢視図）。
【図６】ケース１３の構造を示す上面図。
【図７】ケース１３の構造を示す正面図（図６におけるＶＩＩ方向矢視図）。
【図８】カバー１４の構造を示す上面図。
【図９】図８におけるＩＸ−ＩＸ線に沿う断面図。
【図１０】カバー１４がケース１３に嵌合される時の態様を模式的に示す図。
【図１１】公知のアンテナ装置の構造を示す図。
【符号の説明】
【００６４】
１０  ラゲージアンテナ（アンテナ装置）
１１  磁心
１１ａ  リボン（磁性体）
１１ｂ  ボビン（保持体）
１１ｃ  一方側
１１ｄ  他方側
１１ｅ  係止部
１１ｆ  係止部
１１ｇ  結束部
１１ｈ  結束部
１１ｋ  略中央部
１２  被覆電線
１２ａ  巻き始め側
１２ｂ  巻き終わり側
１２ｃ  導出部
１２ｄ  端末
１２ｅ  コネクタ
１３  ケース
１３ｂ  通路
１３ｃ  凹部
１４  カバー
１４ｂ  凸部
【図１】
2006157375.tif 000003
【図２】
2006157375.tif 000004
【図３】
2006157375.tif 000005
【図４】
2006157375.tif 000006
【図５】
2006157375.tif 000007
【図６】
2006157375.tif 000008
【図７】
2006157375.tif 000009
【図８】
2006157375.tif 000010
【図９】
2006157375.tif 000011
【図１０】
2006157375.tif 000012
【図１１】
2006157375.tif 000013